【手続補正書】
【提出日】平成24年3月28日(2012.3.28)
【手続補正１】
【補正対象書類名】明細書
【補正対象項目名】０００７
【補正方法】変更
【補正の内容】
【０００７】
以上の課題を解決するため、本発明の一の態様は、
感光体ドラムを画像データに応じて露光する露光装置であって、
前記感光体ドラムに前記画像データに応じた光を照射して露光する少なくとも１つの発光素子と、
前記発光素子の動作を制御する制御回路と、
を備え、
前記制御回路は、
所定の測定タイミング毎に、前記発光素子に検査電流が供給されて発光している状態での該発光素子の両端間の駆動電圧の、予め設定された検査時間の経過による電圧変化量を検出する電圧測定回路と、
前記電位変化量に基づいて、前記画像データに対する補正値を設定する補正値設定回路と、
を備えることを特徴としている。
好ましくは、前記電圧測定回路は、前記発光素子に前記検査電流が供給されている第１の時点での前記駆動電圧の値を第一電圧値として測定し、前記第１の時点から前記検査時間が経過した第２の時点での前記駆動電圧の値を第二電圧値として測定し、前記第二電圧値と前記第一電圧値の差分値を前記電圧変化量として検出する。
また、好ましくは、前記補正値設定回路は、第１の測定タイミングで前記電圧測定回路により検出された第１の電圧変化量と、前記第１の測定タイミングの後の第２の測定タイミングで前記電圧測定回路により検出された第２の電圧変化量とに対し、前記第１の電圧変化量に対する前記第２の電圧変化量の変化率に基づいて前記補正値を設定し、前記測定タイミング毎に前記補正値を更新する。
また、好ましくは、前記制御回路は、前記電圧変化量の変化率に対する前記補正値の値が記憶されたデータテーブルを有し、
前記補正値設定回路は、前記データテーブルを参照して、前記補正値を設定する。
また、好ましくは、前記制御回路は、前記第１の測定タイミングにおける前記第１の電圧変化量を記憶する記憶回路を有し、前記記憶回路に記憶する前記第１の電圧変化量の値を、前記測定タイミング毎に更新する。
また、好ましくは、前記制御回路は、
前記補正値設定回路によって設定された前記補正値を記憶する補正データ記憶回路と、
前記画像データを前記補正データ記憶回路に記憶された前記補正値に基づいて補正するデータ補正回路と、を有する。
【手続補正２】
【補正対象書類名】明細書
【補正対象項目名】０００８
【補正方法】変更
【補正の内容】
【０００８】
また、本発明の他の態様は、
画像データに応じた印刷を行う画像形成装置であって、
帯電する感光体ドラムと、
画像データに応じた光を前記感光体ドラムに照射して露光する露光装置と、
を備え、
前記露光装置は、
前記画像データに応じた光を前記感光体ドラム上に照射して露光を行う少なくとも１つの発光素子と、
所定の測定タイミング毎に、前記発光素子に検査電流が供給されて発光している状態での該発光素子の両端間の駆動電圧の、予め設定された検査時間の経過による電圧変化量を検出する電圧測定回路と、前記電位変化量に基づいて、前記画像データに対する補正値を設定する補正値設定回路と、を有して前記発光素子の動作を制御する制御回路と、
を備えることを特徴としている。
好ましくは、前記電圧測定回路は、前記発光素子に前記検査電流が供給されている第１の時点での前記駆動電圧の値を第一電圧値として測定し、前記第１の時点から前記検査時間が経過した第２の時点での前記駆動電圧の値を第二電圧値として測定し、前記第二電圧値と前記第一電圧値の差分値を前記電圧変化量として検出する。
また、好ましくは、前記補正値設定回路は、第１の測定タイミングで前記電圧測定回路により検出された第１の電圧変化量と、前記第１の測定タイミングの後の第２の測定タイミングで前記電圧測定回路により検出された第２の電圧変化量とに対し、前記第１の電圧変化量に対する前記第２の電圧変化量の変化率に基づいて前記補正値を設定し、前記測定タイミング毎に前記補正値を更新する。
また、好ましくは、前記制御回路は、前記電圧変化量の変化率に対する前記補正値の値が記憶されたデータテーブルを有し、
前記補正値設定回路は、前記データテーブルを参照して、前記補正値を設定する。
【手続補正３】
【補正対象書類名】明細書
【補正対象項目名】０００９
【補正方法】変更
【補正の内容】
【０００９】
また、本発明の他の態様は、
発光素子を備えて、感光体ドラムに画像データに応じた光を照射して露光する露光装置の光量補正方法であって、
前記発光素子に検査電流を供給して継続して発光させる発光ステップと、
所定の測定タイミング毎に、前記検査電流が供給されて発光している前記発光素子の両端間の駆動電圧の、予め設定された検査時間の経過による電圧変化量を検出する電圧変化量検出ステップと、
検出された前記電位変化量に基づいて、前記画像データに対する補正値を設定する補正ステップと、
を含むことを特徴としている。
好ましくは、前記電圧変化量検出ステップは、
前記発光素子に前記検査電流が供給されて発光している間の第１の時点での前記駆動電圧の値を第一電圧値として測定する第一電圧値測定ステップと、
前記第１の時点から前記検査時間が経過した第２の時点での前記駆動電圧の値を第二電圧値として測定する第二電圧値測定ステップと、
前記第二電圧値と前記第一電圧値の差分値を前記電圧変化量として検出する差分検出ステップと、を含む。
また、好ましくは、前記補正ステップは、
第１の測定タイミングで前記電圧測定回路により検出された第１の電圧変化量と、前記第１の測定タイミングの後の第２の測定タイミングで前記電圧測定回路により検出された第２の電圧変化量とに対し、前記第１の電圧変化量に対する前記第２の電圧変化量の変化率に基づいて前記補正値を設定する補正値設定ステップと、
前記測定タイミング毎に前記補正値を更新する補正値更新ステップと、を含む。
また、好ましくは、前記補正値設定ステップは、前記電圧変化量の変化率に対する前記補正値の値が記憶されたデータテーブルを参照して、前記変化率に対応する前記補正値を取得する補正値取得ステップを含む。
【手続補正４】
【補正対象書類名】特許請求の範囲
【補正対象項目名】全文
【補正方法】変更
【補正の内容】
【特許請求の範囲】
【請求項１】
感光体ドラムを画像データに応じて露光する露光装置であって、
前記感光体ドラムに前記画像データに応じた光を照射して露光する少なくとも１つの発光素子と、
前記発光素子の動作を制御する制御回路と、
を備え、
前記制御回路は、
所定の測定タイミング毎に、前記発光素子に検査電流が供給されて発光している状態での該発光素子の両端間の駆動電圧の、予め設定された検査時間の経過による電圧変化量を検出する電圧測定回路と、
前記電位変化量に基づいて、前記画像データに対する補正値を設定する補正値設定回路と、
を備えることを特徴とする露光装置。
【請求項２】
前記電圧測定回路は、前記発光素子に前記検査電流が供給されている第１の時点での前記駆動電圧の値を第一電圧値として測定し、前記第１の時点から前記検査時間が経過した第２の時点での前記駆動電圧の値を第二電圧値として測定し、前記第二電圧値と前記第一電圧値の差分値を前記電圧変化量として検出することを特徴とする請求項１に記載の露光装置。
【請求項３】
前記補正値設定回路は、第１の測定タイミングで前記電圧測定回路により検出された第１の電圧変化量と、前記第１の測定タイミングの後の第２の測定タイミングで前記電圧測定回路により検出された第２の電圧変化量とに対し、前記第１の電圧変化量に対する前記第２の電圧変化量の変化率に基づいて前記補正値を設定し、前記測定タイミング毎に前記補正値を更新することを特徴とする請求項１又は２に記載の露光装置。
【請求項４】
前記制御回路は、前記電圧変化量の変化率に対する前記補正値の値が記憶されたデータテーブルを有し、
前記補正値設定回路は、前記データテーブルを参照して、前記補正値を設定することを特徴とする請求項３に記載の露光装置。
【請求項５】
前記制御回路は、前記第１の測定タイミングにおける前記第１の電圧変化量を記憶する記憶回路を有し、前記記憶回路に記憶する前記第１の電圧変化量の値を、前記測定タイミング毎に更新することを特徴とする請求項３又は４に記載の露光装置。
【請求項６】
前記制御回路は、
前記補正値設定回路によって設定された前記補正値を記憶する補正データ記憶回路と、
前記画像データを前記補正データ記憶回路に記憶された前記補正値に基づいて補正するデータ補正回路と、
を有することを特徴とする請求項１〜５の何れか一項に記載の露光装置。
【請求項７】
画像データに応じた印刷を行う画像形成装置であって、
帯電する感光体ドラムと、
画像データに応じた光を前記感光体ドラムに照射して露光する露光装置と、
を備え、
前記露光装置は、
前記画像データに応じた光を前記感光体ドラム上に照射して露光を行う少なくとも１つの発光素子と、
所定の測定タイミング毎に、前記発光素子に検査電流が供給されて発光している状態での該発光素子の両端間の駆動電圧の、予め設定された検査時間の経過による電圧変化量を検出する電圧測定回路と、前記電位変化量に基づいて、前記画像データに対する補正値を設定する補正値設定回路と、を有して前記発光素子の動作を制御する制御回路と、
を備えることを特徴とする画像形成装置。
【請求項８】
前記電圧測定回路は、前記発光素子に前記検査電流が供給されている第１の時点での前記駆動電圧の値を第一電圧値として測定し、前記第１の時点から前記検査時間が経過した第２の時点での前記駆動電圧の値を第二電圧値として測定し、前記第二電圧値と前記第一電圧値の差分値を前記電圧変化量として検出することを特徴とする請求項７に記載の画像形成装置。
【請求項９】
前記補正値設定回路は、第１の測定タイミングで前記電圧測定回路により検出された第１の電圧変化量と、前記第１の測定タイミングの後の第２の測定タイミングで前記電圧測定回路により検出された第２の電圧変化量とに対し、前記第１の電圧変化量に対する前記第２の電圧変化量の変化率に基づいて前記補正値を設定し、前記測定タイミング毎に前記補正値を更新することを特徴とする請求項７又は８に記載の画像形成装置。
【請求項１０】
前記制御回路は、前記電圧変化量の変化率に対する前記補正値の値が記憶されたデータテーブルを有し、
前記補正値設定回路は、前記データテーブルを参照して、前記補正値を設定することを特徴とする請求項９に記載の画像形成装置。
【請求項１１】
発光素子を備えて、感光体ドラムに画像データに応じた光を照射して露光する露光装置の光量補正方法であって、
前記発光素子に検査電流を供給して継続して発光させる発光ステップと、
所定の測定タイミング毎に、前記検査電流が供給されて発光している前記発光素子の両端間の駆動電圧の、予め設定された検査時間の経過による電圧変化量を検出する電圧変化量検出ステップと、
検出された前記電位変化量に基づいて、前記画像データに対する補正値を設定する補正ステップと、
を含むことを特徴とする露光装置の光量補正方法。
【請求項１２】
前記電圧変化量検出ステップは、
前記発光素子に前記検査電流が供給されて発光している間の第１の時点での前記駆動電圧の値を第一電圧値として測定する第一電圧値測定ステップと、
前記第１の時点から前記検査時間が経過した第２の時点での前記駆動電圧の値を第二電圧値として測定する第二電圧値測定ステップと、
前記第二電圧値と前記第一電圧値の差分値を前記電圧変化量として検出する差分検出ステップと、
を含むことを特徴とする請求項１１に記載の露光装置の光量補正方法。
【請求項１３】
前記補正ステップは、
第１の測定タイミングで前記電圧測定回路により検出された第１の電圧変化量と、前記第１の測定タイミングの後の第２の測定タイミングで前記電圧測定回路により検出された第２の電圧変化量とに対し、前記第１の電圧変化量に対する前記第２の電圧変化量の変化率に基づいて前記補正値を設定する補正値設定ステップと、
前記測定タイミング毎に前記補正値を更新する補正値更新ステップと、
を含むことを特徴とする請求項１１又は１２に記載の露光装置の光量補正方法。
【請求項１４】
前記補正値設定ステップは、前記電圧変化量の変化率に対する前記補正値の値が記憶されたデータテーブルを参照して、前記変化率に対応する前記補正値を取得する補正値取得ステップを含むことを特徴とする請求項１３に記載の露光装置の光量補正方法。